(57)【要約】  本開示の装置、システム及び方法は、ワイプがディスペンサの筐体を通じて移動するときに、処理されるワイプを分配することを指向する。このようなワイプのその場での処理は、例えば、ワイプによって運ばれる１つ又は複数の化学物質の濃度、組成、又は、分布の１つ又は複数の制御を達成することを促進できる。さらに、又は、代わりに、１つ又は複数の化学物質は、筐体の内側に形成されてもよく（例えば、ワイプを処理する直前に）、このことは、限られた安定性を有する化学物質でワイプを処理するのに有用であり、かつ／又は、サプライチェーンに沿った化学物質の取り扱い要件を減少させるのに有用であるかもしれない。
2021511944.tif 000002
【特許請求の範囲】
【請求項１】
処理されたワイプを分配するための方法であって、前記方法は、
筐体の内部のワイプの連続配置の供給源を提供するステップであって、前記ワイプは、連続配置で互いに連続的に係合すると共に、前記ワイプは、吸収性材料で形成されている、ステップと、
液体から活性化液を形成するために、前記筐体によって画定された貯留容器の内部の該液体を活性化する、ステップと、
前記貯留容器の内部における前記活性化液を通して、前記ワイプの前記連続配置の少なくとも１つの部分を引き出す、ステップと、
を備える、方法。
【請求項２】
前記活性化液は、除菌液及び消毒液のうちの少なくとも１つである、請求項１に記載の方法。
【請求項３】
前記貯留容器において、該液体を活性化することは、前記活性化液を形成するために、電気化学的に該液体を活性化することを含む、請求項１に記載の方法。
【請求項４】
電気化学的に該液体を活性化することは、前記貯留容器における該液体を通じて、電気の流れを提供することを含む、請求項３に記載の方法。
【請求項５】
前記貯留容器における該液体を通じて、電気の流れを提供することは、前記貯留容器における該液体を通じて、該電気の流れを脈動させることを含む、請求項４に記載の方法。
【請求項６】
前記貯留容器における該液体は、少なくとも１つの塩を含む水溶液であり、前記貯留容器において該液体を電気化学的に活性化することは、電気分解反応を含む、請求項３に記載の方法。
【請求項７】
該液体を活性化することは、該液体を通って引き出された前記ワイプの前記連続配置の前記少なくとも１つの部分に持ち込まれた第２の液体に該液体を暴露することを含む、請求項１に記載の方法。
【請求項８】
前記ワイプの前記連続配置の前記供給源は、該液体の外側の位置において支持されており、かつ、前記ワイプの前記連続配置の少なくとも１つの部分は、該液体の外側の前記位置から該液体を通じて引き出されている、請求項１に記載の方法。
【請求項９】
前記活性化液を通じて、前記ワイプの前記連続配置の前記少なくとも１つの部分を引き出すことは、前記筐体によって画定された開口部を通じて、前記ワイプの前記連続配置の端部を引っ張ることを含む、請求項１に記載の方法。
【請求項１０】
前記開口部を通じて、前記ワイプの前記連続配置の前記端部を引っ張ることは、前記連続配置の前記少なくとも１つの部分から前記活性化液の超過量を取り除くために、前記連続配置の前記少なくとも１つの部分を絞ることとされている、請求項９に記載の方法。
【請求項１１】
処理されたワイプを分配するためのシステムであって、
前記システムは、
チャンバと、貯留容器と、開口部と、を画定する筐体と、
前記チャンバにおけるワイプの連続配置の供給源と、
前記貯留容器における液体と、
前記貯留容器の内側において、複数の離間された電極を含む電極システムであって、活性化液を形成するために、該液体を通じた電気の流れを促進するように、互いに対して配置されている、電極システムと、
前記電極システムに連結されると共に、前記活性化液を形成するように、前記複数の離間された電極の間に電気の流れを提供するように構成された制御器と、
前記チャンバの内部の前記供給源から、前記貯留容器の内部の該液体を通じて、かつ、前記開口部を介して前記筐体の外側へ、前記ワイプの連続配置を案内するように配置された、１つ又は複数のガイド面と、
を備える、システム。
【請求項１２】
前記ワイプの連続配置の前記供給源は、前記ワイプの１つ又は複数のロール又はスタックを含む、請求項１１に記載のシステム。
【請求項１３】
前記ワイプの連続配置は、前記ワイプの連続配置の長さに沿った間隔で穿孔されている、請求項１１に記載のシステム。
【請求項１４】
１つ又は複数のセンサであって、前記貯留容器における該液体と流体連結している１つ又は複数のセンサと、前記１つ又は複数のセンサからのフィードバックに基づいて、前記複数の離間された電極の間で駆動される電源を制御するように構成された制御器と、をさらに備える、請求項１１に記載のシステム。
【請求項１５】
前記制御器は、前記複数の離間された電極の間で駆動される電源を脈動するように構成されている、請求項１４に記載のシステム。
【請求項１６】
前記複数の離間された電極は、互いに対して固定された間隔が空けられている、請求項１１に記載のシステム。
【請求項１７】
前記１つ又は複数のガイド面は、前記貯留容器における該液体の下方側へ延在する、請求項１１に記載のシステム。
【請求項１８】
前記１つ又は複数のガイド面は、ローラを含んでおり、前記ワイプの連続配置は、前記ローラの周りに張力をかけて巻き付けられており、前記ワイプの連続配置が、前記貯留容器の内部の該液体を通って移動する際に、前記ローラが回転可能である、請求項１１に記載のシステム。
【請求項１９】
前記１つ又は複数のガイド面は、前記貯留容器の外側へ移動する前記ワイプの連続配置から、前記活性化液の超過量を絞るために、前記ワイプの連続配置に対して付勢されたアームを含む、請求項１１に記載のシステム。
【請求項２０】
処理されたワイプを分配するためのシステムであって、
前記システムは、
チャンバと、貯留容器と、開口部と、を画定する筐体と、
前記チャンバにおけるワイプの連続配置の供給源と、
前記貯留容器における液体と、
前記チャンバの内部の前記供給源から、前記貯留容器の内部の該液体を通じて、かつ、前記開口部を通じて延在する、前記ワイプの連続配置の端部に張力を適用することによって、前記開口部を介して前記筐体の外側へ、前記ワイプの連続配置が移動可能な、非線形経路を画定するように配置された、１つ又は複数のガイド面と、
を備える、システム。
【請求項２１】
マルチチャンバのワイプディスペンサのためのチャンバであって、
別個の上部チャンバに送られるロール状又はスタック状のワイプを受け入れる大きさとされた下部チャンバと、
前記上部チャンバに配置された溶液に前記ワイプを浸すことを確実にするために、下方側に前記ワイプが通されるローラを備えた、上部チャンバと、
前記ワイプが分配されるチャンバの開口部と、
を備える、チャンバ。
【請求項２２】
前記ワイプは、前記上部チャンバの縁部を越えて前記上部チャンバへ送られる、請求項２１に記載のチャンバ。
【請求項２３】
前記ワイプは、前記上部チャンバの側壁部を通じて前記上部チャンバへ送られる、請求項２１に記載のチャンバ。
【請求項２４】
前記開口部は、超過した液体を取り除くために、熱可塑性エラストマと並んでいる、請求項２１に記載のチャンバ。
【請求項２５】
前記チャンバは、電気化学的活性化装置を受け入れるように適用されている、請求項２１に記載のチャンバ。
【請求項２６】
前記電気化学的活性化装置は、前記チャンバを受け入れる基部のバッテリと電気接続している、請求項２５に記載のチャンバ。
【請求項２７】
前記チャンバは、それ自体が、電気化学的活性化装置とされている、請求項２１に記載のチャンバ。
【請求項２８】
前記電気化学的活性化装置は、前記チャンバを受け入れる基部のバッテリと電気接続している、請求項２７に記載のチャンバ。
【発明の詳細な説明】
【技術分野】
【０００１】
関連出願の相互参照
本出願は、２０１８年１月３０日に出願された米国仮特許出願第６２／６２３，５９０号の優先権を主張する。参照によりその全体が本明細書に組み込まれる。
【０００２】
本開示は、ワイプの分配に関する。
【背景技術】
【０００３】
ディスペンサ（取り出し容器、Dispenser）は、一般的に、様々な洗浄利用のための化学薬品によって事前に湿らせた携帯ワイプ（handheld wipes）を分配するために使用される。便利ではあるが、これらのワイプを事前に湿らせるために使用される化学薬品は、典型的には、常温保存可能（shelf-stable）であって、使用前にワイプと共に容器に保管することができる、安定した化学溶液等に限定されている。必要に応じて、例えば、ワイプが、容器から分配されるときに、カスタマイズされた化学組成を有するワイプを処理するディスペンサに対する必要性が残されている。
【発明の概要】
【発明が解決しようとする課題】
【０００４】
ワイプ（拭き取り繊維、wipe）は、容器から分配される際に、洗浄剤、殺菌剤、溶剤等のような活性剤で処理される。このことは、ワイプが分配されるときに、ワイプの内側の活性剤の濃度、組成、又は、分布を動的に制御することを許容する。活性剤は、また、使用時に筐体の内側に形成されてもよく、有利なことには、限られた安定性又は寿命を有する化学物質を有するワイプの構成を可能にする。
【課題を解決するための手段】
【０００５】
１つの態様において、本明細書に開示される、処理されたワイプを分配するための方法は、筐体の内部のワイプの連続配置の供給源を提供するステップであって、ワイプは、連続配置で互いに連続的に係合すると共に、ワイプは、吸収性材料で形成されている、ステップと、液体から活性化液を形成するために、筐体によって画定された貯留容器（reservoir）の内部の液体を活性化する、ステップと、貯留容器の内部における活性化液を通して、ワイプの連続配置の少なくとも１つの部分を引き出す、ステップと、を含むことができる。
【０００６】
実施形態は、以下の特徴の１つ又は複数を含んでよい。活性化液は、除菌液及び消毒液のうちの少なくとも１つであってもよい。貯留容器において、液体を活性化することは、活性化液を形成するために、電気化学的に液体を活性化することを含んでよい。電気化学的に液体を活性化することは、貯留容器における液体を通じて、電気の流れを提供することを含んでもよい。貯留容器における液体を通じて、電気の流れを提供することは、貯留容器における液体を通じて、電気の流れを脈動させることを含んでもよい。貯留容器における液体は、少なくとも１つの塩を含む水溶液であってもよく、電気化学的に液体を活性化することは、電気分解反応を含んでもよい。液体を活性化することは、液体を通って引き出されたワイプの連続配置の少なくとも１つの部分に持ち込まれた第２の液体に液体を暴露することを含んでもよい。ワイプの連続配置の供給源は、液体の外側の位置において支持されてもよく、かつ、ワイプの連続配置の少なくとも１つの部分は、液体の外側の位置から液体を通じて引き出されてもよい。活性化液を通じて、ワイプの連続配置の少なくとも１つの部分を引き出すことは、筐体によって画定された開口部を通じて、ワイプの連続配置の端部を引っ張ることを含んでもよい。開口部を通じて、ワイプの連続配置の端部を引っ張ることは、連続配置の少なくとも１つの部分から活性化液の超過量を取り除くために、連続配置の少なくとも１つの部分を絞ることであってもよい。
【０００７】
１つの態様において、本明細書において開示された、処理されたワイプを分配するためのシステムは、チャンバと、貯留容器と、開口部と、を画定する筐体を含んでもよい。システムは、また、チャンバにおけるワイプの連続配置の供給源と、貯留容器における液体と、貯留容器の内側において、複数の離間された電極を含む電極システムであって、活性化液を形成するために、液体を通じた電気の流れを促進するように、電極は、互いに対して配置されている、電極システムと、電極システムに連結されると共に、活性化液を形成するように複数の離間された電極の間に電気の流れを提供するように構成された制御器と、チャンバの内部の供給源から、貯留容器の内部の液体を通じて、かつ、開口部を介して筐体の外側へ、ワイプの連続配置を案内するように配置された、１つ又は複数のガイド面と、を含んでもよい。
【０００８】
実施形態は、以下の特徴の１つ又は複数を含んでよい。ワイプの連続配置の供給源は、ワイプの１つ又は複数のロール又はスタックを含んでもよい。ワイプの連続配置は、ワイプの連続配置の長さに沿った間隔で穿孔されてもよい。システムは、１つ又は複数のセンサであって、貯留容器における液体と流体連結している１つ又は複数のセンサと、１つ又は複数のセンサからのフィードバックに基づいて、複数の離間された電極の間で駆動される電源を制御するように構成された制御器と、をさらに含んでもよい。制御器は、複数の離間された電極の間で駆動される電源を脈動するように構成されてもよい。複数の離間された電極は、互いに対して固定された間隔が空けられてもよい。１つ又は複数のガイド面は、貯留容器における液体の下方側へ延在してもよい。１つ又は複数のガイド面は、ローラを含んでもよく、ワイプの連続配置は、ローラの周りに張力をかけて巻き付けられており、ワイプの連続配置が、貯留容器の内部の液体を通って移動する際に、ローラが回転可能である。１つ又は複数のガイド面は、貯留容器の外側へ移動するワイプの連続配置から、活性化液の超過量を絞るために、ワイプの連続配置に対して付勢されたアームを含んでもよい。
【０００９】
１つの態様において、本明細書において開示された、処理されたワイプを分配するためのシステムは、チャンバと、貯留容器と、開口部と、を画定する筐体を含んでもよい。システムは、また、チャンバにおけるワイプの連続配置の供給源と、貯留容器における液体と、チャンバの内部の供給源から、貯留容器の内部の液体を通じて、かつ、開口部を通じて延在する、ワイプの連続配置の端部に張力を適用することによって、開口部を介して筐体の外側へ、ワイプの連続配置が移動可能な、非線形経路を画定するように配置された、１つ又は複数のガイド面と、を含んでもよい。
【００１０】
１つの態様において、本明細書において開示された、マルチチャンバのワイプディスペンサのためのチャンバは、別個の上部チャンバに送られるロール状又はスタック状のワイプを受け入れる大きさとされた下部チャンバを含んでもよく、ここで、上部チャンバに配置された溶液にワイプを浸すことを確実にするために、上部チャンバは、下方側にワイプが通されるローラを含んでもよい。チャンバは、さらに、ワイプが分配されるチャンバの開口部を含んでもよい。
【００１１】
実施形態は、以下の特徴の１つ又は複数を含んでよい。ワイプは、上部チャンバの縁部を越えて上部チャンバへ送られてもよい。ワイプは、上部チャンバの側壁部を通じて上部チャンバへ送られてもよい。開口部は、超過した液体を取り除くために、熱可塑性エラストマと並んでもよい。チャンバは、電気化学的活性化装置を受け入れるように適用されてもよい。電気化学的活性化装置は、チャンバを受け入れる基部のバッテリと電気接続されてもよい。チャンバは、それ自体が、電気化学的活性化装置とされてもよい。電気化学的活性化装置は、チャンバを受け入れる基部のバッテリと電気接続されてもよい。
【００１２】
本明細書に記載された装置、システム、及び、方法の、前述及び他の目的、特徴、及び、利点は、添付の図面に図示されているように、特定の実施形態の以下の説明から明らかにされる。図面は、必ずしも縮尺ではなく、代わりに、本明細書に記載された装置、システム、及び、方法の原理を説明することに重点が置かれている。
【図面の簡単な説明】
【００１３】
【図１Ａ】図１Ａは、閉じられた蓋を有するディスペンサの斜視図である。
【図１Ｂ】図１Ｂは、開けられた１つの蓋を有する図１Ａのディスペンサの斜視図である。
【図１Ｃ】図１Ｃは、図１Ａのディスペンサの側面図である。
【図１Ｄ】図１Ｄは、図１Ａのディスペンサの平面図である。
【図１Ｅ】図１Ｅは、図１の１Ｅ−１Ｅ線に沿って切断された、図１Ａのディスペンサの断面図である。
【図２Ａ】図２Ａは、ワイプディスペンサを示す。
【図２Ｂ】図２Ｂは、電極システム及び制御器を有する貯留容器を描写する。
【図３】図３は、ワイプディスペンサの斜視図を示す。
【図４】図４は、ワイプディスペンサの断面図を示す。
【図５】図５は、処理されたワイプを分配するための方法を示す。
【発明を実施するための形態】
【００１４】
ここでは、好ましい実施形態が示されている添付の図面を参照して、実施形態が説明される。しかしながら、前述のものは、多くの異なる形態で具現化されてもよく、本明細書に記載された図示された実施形態に限定されると解釈されるべきではない。
【００１５】
本明細書で言及される全ての文書は、参照によって、その全体が本明細書に組み込まれる。特に明記しない限り、又は、文脈から明らかでない限り、単数形の項目への言及は、複数形の項目を含むと理解されるべきであり、逆もまた同様である。文法的結合は、特に明記されていないか、文脈から明らかでない限り、結合された句、文、単語などのすべての分離的及び結合的組み合わせを表現することを目的としている。文法的結合は、特に明記されていないか、文脈から明らかでない限り、結合された句、文、単語等のありとあらゆる分離的及び結合的な組み合わせを表現することが意図されている。従って、文脈から、他に示されていない限り、又は、明らかにされない限り、「又は」という用語は、一般に「及び/又は」を意味すると理解されるべきであり、同様に、「及び」という用語は、一般に「及び/又は」を意味すると理解されるべきである。
【００１６】
本明細書において、値の範囲の記述は、限定が意図されているのではなく、本明細書に、他に示されていない限り、その範囲内に含まれるありとあらゆる値を個別に言及しており、そのような範囲内の各個別の値は、それが、本明細書において個別に列挙されているかのように、本明細書に組み込まれている。数値に付随する「約」、「およそ」等の言葉は、数値を伴うときには、意図された目的のために満足に作動するために、当技術分野の通常の熟練者によって、評価されるであろう偏差を示すものと解釈されるべきである。値の範囲及び／又は数値は、例としてのみ、本明細書において提供されており、記載された実施形態の範囲の制限を構成するものではない。本明細書で提供されている、ありとあらゆる例、又は、例示的な言語（「例えば」、「のような」等）の使用は、単に、実施形態をより良く照らすことを意図しており、実施形態又は特許請求の範囲の範囲に制限を課すものではない。本明細書のいかなる言語も、実施形態の実施に不可欠なものとして、いかなる未請求の要素を示すものと解釈されるべきではない。
【００１７】
以下の記載において、「第１」、「第２」、「第３」、「上」、「下」等といった用語は便宜上の言葉であり、かつ、明確に、他の言及がない限り、時系列的な順序を暗示したり、又は、いかなる対応する要素を他に限定したりするものとして解釈されるべきではない。
【００１８】
本明細書において使用されるように、「ワイプ」という用語は、通常、例えば、洗浄、消毒、研磨、又は、他の処理等のために、１つ又は複数の化学物質（本明細書では「活性剤」とも称する。）の目標物の表面への適用において、１つ又は複数の化学物質で処理されると共に、使用のために分配され得る平面シート（折り畳みシート、ロール状シート等を含む）の任意の方法及び形態を言及するものと理解されるべきである。例えば、ワイプは、分配されたときに、１つ又は複数の化学物質を保持し、その後、吸収性材料が目標物表面に沿って拭かれるときに、１つ又は複数の化学物質を解放する、１つ又は複数の吸収性材料を含んでもよい。いくつかの実施例では、吸収性材料は、１つ又は複数の化学物質との可溶性を有する繊維を有する布（例えば、織布、不織布、又は、これらの組み合わせ）を含んでもよい。一例として、１つ又は複数の化学物質が水溶液中にある例では、繊維は、１つ又は複数の化学物質の吸収を促進するために親水性であってもよい。
【００１９】
本明細書でも使用されるように、他に特定されない限り、又は、文脈から明らかにされない限り、ワイプの連続配置は、互いに隣接する複数のワイプの集合体の任意の方法及び形態を言及するものと理解されるべきである。例えば、連続配置において、ワイプは、ミシン目、又は、他の同様の弱点領域によって、互いに線引きされたワイプの個々のインスタンス（instance）と末端間の関係で互いに接続されていてもよく、それに沿って、ワイプの個々のインスタンスが、ワイプの連続配置における、ワイプの残りのインスタンスから引き裂かれてもよい。さらに、又は、代わりに、ワイプの連続配置は、所与の実施形態に適しているかもしれないように、任意の１つ又は複数の様々な異なる形態要素を有していてもよい。従って、例えば、ワイプの連続配置は、ロール状の形態であってもよい。さらに、又は、代わりに、ワイプの連続配置は、ワイプのインスタンスが、末端間で結合されている、又は、他に折り畳まれて、又は、互いに係合するように押し付けられて、「Ｚ」パターンで互いの上に折り畳まれているスタック状の形態であってもよい（この配置は、本明細書では「Ｚ」スタックと称することがある）。
【００２０】
以下の説明では、「筐体」という用語は、ディスペンサの１つ又は複数の内部容積を画定すると共に、通常、１つ又は複数の内部容積を互いに分離し、かつ/又は、外部環境から分離する、ディスペンサの任意の壁を含むものと理解されるべきである。筐体の１つ又は複数の部分は、互いに対して静止していてもよいが、静止していなくてもよい。従って、例えば、筐体は、筐体の内側に貯蔵された材料を保護するため、又は、流出若しくは蒸発を防止するために有用であるかもしれないように、開閉可能な１つ又は複数の蓋を含んでもよい。さらに、又は、代わりに、以下において、さらに詳細に説明するように、筐体は、特定の実施例では、消耗した供給物の交換を容易にするために、かつ／又は、所与の用途のためにディスペンサのカスタマイズされた構成を可能にするために、取り外し可能な筐体の区画を有するモジュール式であってもよい。説明の明確化及び効率化のために、本明細書に記載されている筐体は、通常、２つの区画を有するものとして記載されている。これは、同一のディスペンサ内部において清掃ワイプ及び除菌ワイプを形成することを含む、特に有利な構成で、異なるワイプの処理が、単一のディスペンサ内部でどのように行われ得るかを説明するための有益な使用例である。しかしながら、文脈から他に明示的に示されていない又は明らかにされていない限り、本明細書に記載された、任意の１つ又は複数の筐体は、本開示の範囲から逸脱することなく、任意の数の区画を有していてもよいことが理解されるべきである。具体的には、本明細書に記載された、任意の１つ又は複数の筐体は、ワイプの単一の処理を実行するための単一の区画を有していてもよい。さらに、又は、代わりに、本明細書に記載された、任意の１つ又は複数の筐体は、ワイプの対応する数の処理を実行するための２つ以上の区画を有していてもよい。
【００２１】
ここで、図１Ａから図１Ｅを参照すると、ディスペンサ１００は、筐体１０２と、ワイプの第１の連続配置１０５の第１の供給源１０４と、第１の液体１０６と、１つ又は複数のガイド面１０８と、を含んでもよい。筐体１０２は、チャンバ１１０、第１の貯留容器１１２、及び、第１の開口部１１４を画定してもよい。ワイプの第１の連続配置１０５の第１の供給源１０４は、チャンバ１１０内に配置されてもよく、かつ、第１の液体１０６は、第１の貯留容器１１２内に配置されてもよい。
【００２２】
使用時には、ワイプの第１の連続配置１０５は、第１の貯留容器１１２内の第１の液体１０６を通じて、チャンバ１１０内の第１の供給源１０４から、かつ、第１の開口部１１４を通って延在するワイプの第１の連続配置１０５の端部１１５への張力の適用によって、第１の開口部１１４を介して筐体１０２の外側へ、引き出されてもよい。このようにして、第１の液体１０６を通じて引き出されたワイプの第１の連続配置１０５の各部分は、使用のために第１の開口部１１４を通じて引き出される直前に、第１の貯留容器１１２内の第１の液体１０６を吸収してもよい。重要な利点として、ワイプの第１の連続配置１０５への第１の液体１０６の局所的な導入は、典型的には、例えば、それらが常温保存可能ではないため、プレウェット（予め湿らせた、pre-wet）ワイプで、使用できない、又は、使用するのに適していない、１つ又は複数の化学物質によってワイプの第１の連続配置１０５を湿らせることを促進する。さらに、又は、代わりに、長期間保存されたプレウェットワイプと比較して、使用直前に第１の液体１０６をワイプの第１の連続配置１０５に導入することは、端部１１５が、ワイプの第１の連続配置１０５から分離されると共に、表面上を拭く際に、第１の液体１０６が適切な化学活性を有する可能性を増加させることができる。
【００２３】
通常、筐体１０２は、ワイプの第１の連続配置１０５の第１の供給源１０４が、第１の貯留容器１１２内の第１の液体１０６から離れて格納されるように、様々な互いに対して異なる向きのいずれかにおいて、チャンバ１１０及び第１の貯留容器１１２が画定されてもよい。例えば、チャンバ１１０は、第１の貯留容器１１２の下方側とされてもよく、このことは、ワイプの第１の連続配置１０５を取り外す必要もなく、第１の貯留容器１１２への再充填を促進するのに有用であるかもしれない。しかしながら、以下においてより詳細に説明するように、特定の実施形態では、有利なことに、貯留容器の上方側にチャンバを含んでもよい。いずれにしても、ワイプの第１の連続配置１０５は、ワイプ１０５が分配される際に、オンデマンドで湿らせることを可能にするために、第１の液体１０６を通る、供給経路（feedpath）に沿って、第１の供給源１０４から端部１１５に連結されてもよい。供給経路は、通常、第１の液体１０６を通じてワイプ１０５を引き出し、かつ／又は、分配及び使用する前に、ワイプ１０５から余分な液体を取り除くために、十分な張力、拭き取り等を課すように、ローラ、ガイド面等に沿って案内される任意の経路を含んでもよい。
【００２４】
筐体１０２は、通常、ワイプの第１の連続配置１０５が、ワイプの第１の連続配置１０５の端部１１５に適用される張力の適用によって、１つ又は複数のガイド面１０８に沿って移動する際に、チャンバ１１０及び第１の貯留容器１１２の形状を保持してもよい。さらに、又は、代わりに、筐体１０２は、第１の液体１０６の処方を、殆ど又は全く汚染の危険性なく変更することができるように、容易に洗浄することができ、かつ／又は、抗菌性を有する材料で形成されてもよい。さらに、又は、代わりに、第１の貯留容器１１２を画定する筐体１０２の少なくとも１つの部分は、第１の液体１０６との腐食又は他の化学反応に耐性を有する材料で形成されてもよい。従って、例えば、筐体１０２は、１つ又は複数の剛性材料（例えば、硬質プラスチック、金属、又は、これらの組み合わせ）で形成されてもよい。
【００２５】
筐体１０２によって画定される第１の開口部１１４は、ワイプの第１の連続配置１０５の端部１１５とのある程度の摩擦係合を作り出すのに適した様々な異なる形状のいずれであってもよい。通常理解されるべきであるように、端部１１５に付与される適切な摩擦係合の程度は、端部１１５を第１の開口部１１４を通して引き出すことに関連した競合する留意事項の関数とされてもよい。すなわち、第１の開口部１１４は、第１の開口部１１４における筐体１０２とワイプの第１の連続配置１０５の端部１１５との間の摩擦が、張力が加えられていないときにワイプの第１の連続配置１０５の端部１１５を所定の位置に保持するのに少なくとも十分な大きさであるように、ワイプの第１の連続配置１０５に対してサイズが決められてもよく、それゆえ、端部１１５が、第１の貯留容器１１２内に不用意に引っ込む可能性を低減することができる。さらに、第１の開口部１１４は、第１の開口部１１４における筐体１０２と端部１１５との間の摩擦が、端部１１５が、不用意に引っ込むリスクが殆ど又は全くないようにして、第１の開口部１１４を通じて引き出されることを許容にするのに十分小さくなるように、ワイプの第１の連続配置１０５に対するサイズが決められてもよい。従って、具体的な例として、第１の開口部１１４は、ワイプの第１の連続配置１０５のそれぞれの幅及び厚さに、ほぼ等しい幅及び厚さを有する細長いスリットであってもよい。以下において、さらに詳細に説明するように、第１の開口部１１４の他の形状が、さらに、又は、代わりに、有用とされてもよい。一般に、ワイプ１０５は、また、シートが第１の開口部１１４を通って引き出された後、ユーザがワイプ１０５の１つ（例えば、１つの「シート」）を容易に分離することを許容する一方で、供給経路に沿った第１の開口部１１４への分配を促進するために、十分な機械的引張強さを有して互いに連結されてもよい。
【００２６】
筐体１０２は、チャンバ１１０及び第１の貯留容器１１２に沿って、通常、剛性を有してもよいが、筐体１０２は、第１の開口部１１４を画定するスカート部１１６を含んでもよい。スカート部１１６は、可撓性材料（例えば、１つ又は複数の熱可塑性材料又は他の合成材料若しくは天然材料）で形成されてもよく、場合によっては、第１の開口部１１４を通って移動するワイプの第１の連続配置１０５の一部と係合してもよい。そのような係合を通して、スカート部１１６は、第１の開口部１１４を通って移動するワイプの第１の連続配置１０５のシートから第１の液体の超過量を除去するためのスクイージ（squeegee）又は圧搾機（press）として機能してもよい。
【００２７】
特定の実施形態では、筐体１０２は、開放位置と閉鎖位置との間で移動可能な、第１の蓋１１８を含んでもよい。例えば、第１の蓋１１８は、使用中に、ワイプ１０５の第１の連続配置の端部１１５へのアクセスを提供しながら、使用の間に第１の液体１０６をこぼす可能性及び／又は汚染する可能性を低減してもよい。第１の蓋１１８は、例えば、第１の蓋１１８が、閉鎖位置にある状態で、ディスペンサ１００の運搬を促進するために、閉鎖位置にはめ込まれていてもよい。いくつかの実施形態では、第１の蓋１１８は、第１のヒンジ部１１９を含んでもよい。一例として、第１のヒンジ部１１９は、第１の蓋１１８が、使用の間に閉鎖される可能性を高めるように、第１のヒンジ部１１９が、第１の蓋１１８の閉鎖位置に向けて付勢されるように、ばねで負荷されていてもよい。
【００２８】
いくつかの実施例では、筐体１０２は、ディスペンサ１００の輸送及び使用を促進するために、ユーザによって把持可能な（例えば、中立グリップを使用して）ハンドル１２０を含んでもよい。すなわち、第１の貯留容器１１２内の第１の液体１０６がこぼれて、ワイプの第１の連続配置１０５を時期尚早に濡らす可能性を低減するために、ディスペンサ１００を固定された方向に維持することが望ましいかもしれない。ディスペンサ１００を適切な方向に固定した状態で確実な把持面を提供することによって、ハンドル１２０は、ユーザが不注意でディスペンサ１００を望ましくない方向に傾ける可能性を減少させてもよい。ハンドル１２０は、異なる保管及び溶液の使用に対応するために、折り畳み可能又は着脱可能とされてもよいことが理解されるべきである。さらに、又は、代わりに、ディスペンサ１００は、ユーザが持ち運び可能な形状因子に応じた大きさであってもよいが、ディスペンサ１００は、ハンドルが限られた実用性を有する他の形状因子に応じた大きさであってもよいことが理解されるべきである。例えば、ディスペンサ１００は、静止しているか、又は、転がり／車輪の設置により適した全体重量を有するより大きな容器に形成されていてもよい。
【００２９】
筐体１０２は、いくつかの実施例では、ワイプの第１の連続配置１０５の第１の供給源１０４が、筐体１０２を通って引き出される際に、ワイプの第１の連続配置１０５の第１の供給源１０４をチャンバ内の所定の位置に保持するために、チャンバ１１０に沿って配置された支持体１２１を含んでもよい。特定の実施形態では、ワイプの第１の連続配置１０５の第１の供給源１０４は、ロール状に形成してもよく、支持体１２１は、ワイプの第１の連続配置１０５の端部１１５に張力が適用されると、第１の供給源１０４が、ワイプの第１の連続配置１０５を巻き戻すように回転可能な、細長いシャフトとされてもよい。例えば、支持体１２１は、ロールが、比較的小さな抵抗で支持体１２１の周りを回転することができるように、ロールの形態で第１の供給源１０４を、筐体との接触から離して保持してもよい。使用していない間のロールの、自由回転運動、又は、意図しない／望まない巻き戻しを防止するために、機械的又は回転式ダンパが、適宜使用されてもよい。例えば、支持体１２１は、中摩擦回転軸受を含んでいてもよく、又は、端部１１５に適用された張力下での回転を許容しつつ、ロールの自由な回転を抑制する適度な圧力をロールの外周に適用するスプリングアーム等を含んでもよい。
【００３０】
通常、１つ又は複数のガイド面１０８は、ワイプの第１の連続配置１０５の端部１１５に適用された張力が、ワイプの第１の連続配置１０５を、チャンバ１１０内の第１の供給源１０４から、第１の貯留容器１１２内の第１の液体１０６を通って、最終的には第１の開口部１１４を通って移動させるように、互いに対して配置されていてもよい。より具体的には、１つ又は複数のガイド面１０８の少なくとも１つの部分は、第１の液体１０６を通じてワイプの第１の連続配置１０５を方向づけるように、第１の貯留容器１１２内の第１の液体１０６に少なくとも部分的に浸されてもよい。さらに、又は、代わりに、１つ又は複数のガイド面１０８は、ワイプの第１の連続配置１０５が、筐体１０２内でワイプの第１の連続配置１０５の不注意な引き裂きをもたらす可能性が低い引張力によって、筐体１０２を通じて移動されてもよいように、互いに対して配置されてもよい。
【００３１】
ワイプの第１の連続配置１０５が引っかかる可能性、及び、ひいては不注意で引き裂かれる可能性を低減するために、１つ又は複数のガイド面１０８は、通常、滑らかな表面とされてもよい。例えば、１つ又は複数のガイド面１０８は、ワイプの第１の連続配置１０５が、チャンバ１１０から第１の貯留容器１１２へ送られる縁部（例えば、第１の貯留容器１１２の側壁を通る開口部の一部として画定されている）を含んでいてもよい。例えば、１つ又は複数のガイド面１０８は、１つ又は複数のガイド面１０８によってワイプの第１の連続配置１０５に負荷される摩擦を減少させるために回転可能とされた、１つ又は複数のローラを含んでもよい。従って、第１の貯留容器内の第１の液体１０６の下方へ延在する１つ又は複数のガイド面１０８の少なくとも１つの部分の例に戻ると、１つ又は複数のガイド面１０８は、第１の貯留容器１１２内の第１の液体１０６に少なくとも部分的に浸されたローラ１２３を含んでもよい。この例を続けると、ワイプの第１の連続配置１０５は、ローラ１２３について張力をかけて通されてもよく、ローラ１２３は、ワイプの第１の連続配置１０５が、第１の貯留容器１１２内の第１の液体１０６を通って移動する際に、回転可能とされてもよい。もう１つの態様では、１つ又は複数のガイド面１０８は、貯留容器の外側へ移動するワイプの連続配置１０５から、活性化液の超過量を絞るために、ワイプの第１の連続配置１０５に対して付勢する、アーム又は同等の機構を含んでもよい。
【００３２】
いくつかの実施形態では、ワイプの第１の連続配置１０５は、ワイプの第１の連続した配置１０５の長さに沿った間隔（例えば、一様な間隔）で、横一列のミシン目のようなミシン目１２２を含んでもよく、又は、ワイプ１０５を第１の供給源１０４から第１の開口部１１４への供給経路に沿って引き出すことを可能にするために、ワイプ１０５に沿って十分な張力を適用しながら、ユーザによって、ワイプの第１の連続配置１０５からのシートの分離を促進する、他の物理的又は機械的処理を含んでもよい。理解されるべきであるように、ミシン目１２２の各インスタンスは、第１の開口部１１４を出ると、ワイプの第１の連続配置１０５は、第１の液体１０６を表面に塗布するために使用され得る個別のワイプを形成するために、ミシン目１２２の各インスタンスに沿って千切れても（tom）よい。
【００３３】
第１の液体１０６は、除菌剤、殺菌剤、抗微生物剤、脱脂剤、洗浄剤、洗剤溶液、又は、当該技術分野で知られている前記の任意の組み合わせを含んでもよく、これには、特定の使用者又は用途の一般的な慣行又は顧客要求に従って準備された処方が含まれている。１つの態様において、第１の液体１０６は、貯蔵、取り扱い、又は、安定性のうちの１つ又は複数に関連する留意事項に従って処方されてもよい。従って、いくつかの実施例では、第１の液体１０６は、揮発性の２液性液体の第１の安定成分とされてもよい。この例に引き続き、ワイプの第１の連続配置１０５は、使用のために第１の開口部１１４を通じて、ワイプの第１の連続配置１０５を引き出す直前に、第１の貯留容器１１２内の第１の液体１０６を通じたワイプの第１の連続配置１０５の移動が、ワイプの第１の連続配置１０５内の揮発性の２液性液体を形成するように、揮発性の２液性液体の第２の安定成分（例えば、第１の供給源１０４をチャンバ内の第２の安定成分に少なくとも部分的に浸すことによって）で予め湿らされてもよい。
【００３４】
使用直前に、ワイプの第１の連続配置１０５に第１の液体１０６を局所的に導入することを促進にするために、筐体１０２を介したワイプの第１の連続配置１０５の移動について説明したが、注意は、ワイプに液体を提供するための、他の手法へ向けられている。
【００３５】
一例として、ディスペンサ１００は、例えば、第２の貯留容器１２８内の第２の液体１２６に、少なくとも部分的に浸されたワイプの第２の連続配置１２５の第２の供給源１２４を含んでもよい。使用時には、ワイプの第２の連続配置１２５は、第２の貯留容器１２８から、ワイプの第１の連続配置１０５が引き出される第１の開口部１１４と同等の開口部を通じて、直接引き出されてもよい。理解されるべきであるように、この方法による第２の液体１２６のワイプの第２の連続配置１２５への導入は、ワイプの第２の連続配置１２５における第２の液体１２６の濃度に敏感ではない活用において有用であるかもしれない。特定の実施形態では、ワイプの第１の連続配置１０５は、ワイプの第２の連続配置１２５と同じ材料で形成されてもよい。しかしながら、これは、全ての実施例において、そうである必要はなく、各実施例において形成されたワイプが、消毒又は清掃における使用を意図したものであるかどうかに依存してもよい。例えば、除菌液との使用を意図するワイプは、滞留時間の要件を満たすために、表面上に適切な量の除菌剤／消毒剤を残すのに適した絹のような材料であってもよく、一方、洗浄液との使用を意図するワイプは、より吸収性の高い材料で形成されてもよい。
【００３６】
ワイプの連続配置に液体を局所的に導入するための特定の手法が記載されているが、ワイプの連続配置に、液体を局所的に導入するための他の手法は、追加的に又は代替的に可能である。例えば、ディスペンサ１００内に液体を形成することは、液体の成分を組み合わせることによって記載されているが、ディスペンサ１００内に液体を形成するための他のアプローチは、追加的に又は代替的に可能である。
【００３７】
例えば、今、図２Ａを参照すると、ディスペンサ２００は、筐体２０２と、ワイプの第１の連続配置２０５の第１の供給源２０４と、第１の液体２０７と、１つ又は複数のガイド面２０８と、を含み得る。一般的に、他に示されない限り、又は、文脈から明らかにされない限り、２００シリーズの要素番号を有する図２の要素は、１００シリーズの要素番号を有する図１Ａから図１Ｅの要素と類似していると理解されるべきであり、効率的な説明のために、特定の相違点を強調するか、又は、特徴を強調することを除いて、個別に記載されていない。従って、例えば、筐体２０２は、チャンバ２１０及び第１の貯留容器２１２を画定してもよく、これらは、それぞれ、図１Ａから図１Ｅのチャンバ１１０及び第１の貯留容器１１２と類似していると理解されるべきである。
【００３８】
使用において、以下でより詳細に説明するように、第１の液体２０６は、第１の液体２０６への電気の送信が、第１の貯留容器２１２内の活性化液に第１の液体２０６の形成を可能にするように、電気化学的に活性化可能とされてよい。ワイプの第１の連続配置２０５が、チャンバ２１０から、第１の貯留容器２１２内の活性化液を通って引き出されるように、活性化液は、開口部（例えば、図１Ａから図１Ｅに関して上述した開口部１１４に類似した開口部）を通って引き出される前に、ワイプの第１の連続配置２０５によって吸収されてもよい。従って、活性化液は、その場で、第１の液体２０６から形成されるため、活性化液は、限られた安定性を有するか、又は、貯蔵及び取り扱いに関して他の課題を提示する、１つ又は複数の化学物質を含んでいてもよい。すなわち、別の言い方をすれば、活性化液を形成するために、第１の液体２０６を電気化学的に活性化することは、通常、ワイプを使用して配送するための課題をもたらすであろう範囲の化学物質を使用して、ワイプを形成することを容易にするかもしれない。
【００３９】
図２Ａに描写されているように、ワイプ及び液体の異なる配置が使用されてもよい。例えば、電極システム２３０は、ワイプの連続配置２０５の第１の供給源２０４とは別の第１の貯留容器２１２に配置されてもよい。もう１つの態様では、図２Ａの右側チャンバに描写されているように、供給源、例えば、ワイプのロールは、全体的に又は部分的に液体に浸されてもよく、ここでは、また、本明細書に記載されているような電気化学的活性化に使用するための電極を含んでもよい。
【００４０】
例えば、電気化学的活性化は、炭酸カリウムのような天然の一般的な塩を含む水溶液中の塩と一緒に使用されてもよく、洗浄剤、除菌剤、消毒剤、脱脂剤、抗菌剤等の特性を有する、安全で無毒な電気化学的活性化（ＥＣＡ）製品をもたらすために、このような塩は、溶液中で電気化学的に活性化されてもよく、非限定的な例として、「水の電気化学的活性化」と題する米国特許出願公開第２０１６/００２４６６７号明細書に記載されており、その全体は、参照によって本明細書に組み込まれている。一般的な塩及び水からＥＣＡ製品をオンデマンドで生成することは、特に、大量の工業的用途のために、大量の洗浄剤、除菌剤、脱脂剤、消毒剤、抗菌剤及び同等のものを購入し、貯蔵し、及び、出荷するための費用を削減することができる。
【００４１】
図２Ｂは、電極システム及び制御器を有する貯留容器を描写している。図２Ｂに示されるように、通常、第１の貯留容器２１２（ワイプの図示省略）は、第１の貯留容器２１２に連結された電極システム２３０と、電極システム２３０の作動を制御する制御器２４０と、を含んでもよい。
【００４２】
一般に、電極システム２３０は、第１の液体２０６を電気化学的に活性化すると共に活性化液を形成するために、第１の貯留容器２１２内の第１の液体２０６を通じて電流を誘導するように配置された少なくとも２つの電極２３１、２３２（例えば、正極及び負極）のような、離間された複数の電極を含んでもよい。実施形態では、電極システム２３０の少なくとも２つの電極２３１、２３２は、高導電性かつ非腐食性の金属で作られていてもよく、又は、チタンで作られると共に、白金コーティングを有していてもよいし、若しくは、チタンで作られると共に、イリジウムコーティングを有していてもよい。電極システム２３０は、通常、第１の液体２０６を通じて電流を誘導するために、広い範囲の形態において、広く理解された原理に従って配置されてもよい、２つ以上の電極を含んでもよいことが理解されるであろう。電極システム２３０は、第１の液体２０６のような水性塩水溶液中に浸されるように適合されてもよく、かつ、少なくとも２つの電極２３１、２３２が、互いに離れて配置され、第１の電極２３１（＋）及び第２の電極２３２（-）への電気の印加時に、電気化学的活性化のための電流を誘導するように配置されてもよい。少なくとも２つの電極２３１、２３２の間の距離は、固定された間隔とされてもよく、又は、例えば、利用可能な電源、電気化学活性化の目標レート、活性化される液体のタイプ等に基づいて、自動的に又は手動で制御される可変距離とされてもよい。
【００４３】
制御器２４０は、電極システム２３０に電気的に連結されてもよく、かつ、第１の液体２０６を電気化学的に活性化するように電極システム２３０の作動を制御してもよく、これには、電極システム２３０を横切って電圧を印加することを含んでもよい。これは、また、又は、代わりに、離間された複数の電極の間に供給される電源を脈動させること、及び／又は、少なくとも２つの電極２３１、２３２を横切る逆電流を誘導するために電圧を周期的に逆転（交代、alternating）することを含んでもよい。もう１つの態様において、１つ及び複数のセンサ２５０は、第１の貯留容器２１２内の第１の液体２０６と接触して配置されてもよく、制御器２４０は、１つ又は複数のセンサ２５０からのフィードバックに基づいて、例えば、第１の液体２０６の電気化学的活性化の測定された程度に基づいて、電極システム２３０への電力を増加又は減少させることによって、電極システム２３０への電力を制御するように構成されてもよい。
【００４４】
通常、制御器２４０は、電気化学的活性化（ＥＣＡ）プロセスを制御するために、様々な入力に応答してもよい。例えば、制御器２４０は、電極システム２３０を手動で活性化するために、例えば、ディスペンサ上のスイッチ、ボタン等によって活性化されてもよい。もう１つの態様では、ディスペンサ２００は、多数の追加のセンサを含んでもよく、制御器２４０は、例えば、電極システム２３０の活性化を開始するために、ワイプ上の張力又はワイプの動きに応答してもよい。もう１つの態様では、少なくとも２つの電極２３１、２３２の間の間隔は、例えば、電極を横切る測定された電圧若しくは電流に応答して、又は、活性化の電流の程度を示す第１の液体２０６の測定された電気的特性に応答して、自動的に距離を調整することによって、調整可能である。インペラ、ポンプ、ミキサー等の追加の構成要素が、積極的に混合を誘導すると共に、第１の液体２０６のより均一な活性化を促進するために使用されてもよい。制御器２４０は、ライン電源又は電池等の電源２６０、又は、他の任意の適当な電源から電力を供給されてもよく、本明細書において予期されるような活性化液体を形成するために、電極システム２３０の複数の離間した電極の間に電気の流れを供給するように構成されてもよい。
【００４５】
第１の液体２０６は、例えば、除菌液、消毒液、洗浄液、脱脂液、及び、抗菌液のうちの１つ又は複数を含んでもよい。第１の液体２０６は、また、又は、代わりに、例えば、炭酸カリウム、塩化ナトリウム又は、塩化ナトリウムとクエン酸との混合物、酢酸、又は、他のいくつかの添加物である、塩を含んでもよい。第１の液体２０６は、また、又は、代わりに、ＨＯＣｌ又はＫＯＨのうちの少なくとも１つを含んでもよい。第１の液体２０６は、また、又は、代わりに、イオン化された水を含んでもよい。第１の液体２０６の活性種、例えば、電気化学的活性化時の活性剤は、ＯＨ-及びＣｌ-の少なくとも１つを含んでもよい。
【００４６】
図３は、ワイプディスペンサを示す。通常、ディスペンサ３００は、本明細書に記載されたディスペンサのいずれであってもよく、独立して取り外し可能であり、サービス可能であり、かつ、交換可能である複数のモジュール式ディスペンサ３０２、３０４を含んでもよい。ディスペンサ３００は、図３に描写されているように、十字形状又はＸ字形状の開口部を含んでもよい。シート幅の直線状の開口部が、例えば、図１Ｂに描写されているが、ワイプの連続配置の端部シートを保持するのに適した任意の形状又は形状の組み合わせの開口部が、本明細書に記載された開口部３０６として使用されてもよいことが理解されるであろう。通常、開口部３０６は、多くの目的のために形成されてもよい。例えば、開口部３０６は、ディスペンサ３００の内側のワイプの連続配置の張力を保持してもよく、同時に、個々の露出したシートをディスペンサから除去することを可能にするのに十分な引っ張り強さでワイプを保持してもよい。同様に、開口部３０６は、シートから余分な流体を押し出す、又は、絞るために、シートを移動している間に、シートに適切な圧力を適用してもよく、余分な流体は、井戸部３０８等に捕獲されると共に、その後の使用のためにディスペンサ３００へ戻すことができる。
【００４７】
図４は、ワイプディスペンサの断面図を示す。図４の実施形態に示されるように、ディスペンサ４００は、チャンバ４０８の上部４０６における車軸４０４等に保持されたロール状等のワイプの供給源４０２を有し、チャンバ４０８の下部４１２において貯留容器内に液体４１０を有するように構成されてもよい。
【００４８】
この実施形態では、ワイプ４１４は、液体４１０を通る経路に沿った１つ又は複数のガイド４１６を通って、ディスペンサ４００のための開口部４１８の外側に引き出されてもよい。１つ又は複数のガイド４１６は、液体４１０を通るワイプ４１４のための供給経路を画定すること、供給経路に沿って適切な張力を維持すること、ワイプ４１４がチャンバ４０８から引き出される際に、余分な液体をワイプ４１４から除去すること等、本明細書に記載されているような様々な機能を実行してもよい。実施形態では、ディスペンサ４００は、また、例えば、（使用されていないときにチャンバ４０８を密閉するために）閉鎖位置においてバネ４２１によって負荷され、ワイプ４１４が引き出されるときにワイプ４１４から余分な液体を絞り出し、余分な液体を貯留容器へ戻す、端部にゴム製のスクイージ４２２等を有する蓋４２０を含んでいてもよい。
【００４９】
図５は、処理されたワイプを分配するための方法を示す。
【００５０】
ステップ５０２に示されるように、方法５００は、ワイプの供給源を提供することを含んでもよい。これは、本明細書に記載された形態因子の何れかの形態因子でワイプを提供すること、又は、ディスペンサから活性剤を含む個々のワイプを分配するのに適した他の形態因子を提供することを含んでもよい。例えば、これは、筐体内においてワイプの連続配置の供給源を提供することを含んでもよい。ワイプは、連続配置において、互いに順次係合してもよく、ワイプは、洗浄液若しくは消毒液、又は、本明細書に記載された他の液体製品のような活性剤を保持するのに適した吸収性材料で形成されてもよい。
【００５１】
ステップ５０４に示されるように、方法５００は、活性化液を形成することを含んでもよい。これは、例えば、液体を活性化液に形成するために、筐体によって画定された貯留容器内の液体を活性化することのように、上述したような液体を活性化することを含んでもよい。活性化液は、消毒液とされてよい。活性化液は、さらに、又は、代わりに、洗浄液、脱脂液等を含み得る。
【００５２】
液体を活性化するために、様々な技術が使用されてもよい。１つの態様では、貯留容器内の液体を活性化することは、貯留容器内の液体を通る電気の流れを提供することなどによって、第１の液体を電気化学的に活性化して活性化液を形成することを含み得る。例えば、貯留容器内の液体が、少なくとも１つの塩を含む水溶液である場合、貯留容器内の第１の液体を電気化学的に活性化することは、電気の流れで電気分解反応を誘発することを含み得る。上記のように、電気の流れを提供することは、安定した電気の流れ（例えば、ＤＣ電流）を提供すること、周期的に極性を逆にすること、電気の流れを変化させること（所定の開ループ方式で、又は、センサのフィードバックに応答して）、電気の流れを脈動すること、又は、他に貯水容器の液体を通る電気の流れを制御すること、を含み得る。
【００５３】
もう１つの態様では、液体を活性化することは、第１の液体を通して引き出されたワイプの連続配置の少なくとも１つの部分に付与された第２の液体に液体を暴露することを含み得る。従って、例えば、図４において上述した実施形態では、活性化溶液の上に吊り下げられたワイプのロールは、それ自体が部分的又は全体的に、活性化溶液と結合して活性化液を生成する第２の溶液に沈められてもよい。もう１つの態様では、ワイプの連続配置は、ワイプを筐体から引き出すときに、ワイプの内側に活性化液を生成する一連の流体でワイプを処理するために、流体の２つ以上の連続する貯留容器を通して引き出され得る。
【００５４】
ステップ５０６に示されるように、方法５００は、例えば、貯留容器内の活性化液を通してワイプの連続配置の少なくとも１つの部分を引くことによって、ワイプを活性化液に暴露することを含み得る。１つの態様では、ワイプの連続配置の供給源は、液体の外側の位置で支持され、ワイプの連続配置の少なくとも１つの部分は、例えば、図２Ａの左側のチャンバに示された供給経路に従って、第１の液体の外側の位置から液体を通して引き出される。
【００５５】
ワイプを活性化液に暴露することは、また、又は、代わりに、筐体の開口部を通してワイプの1つを抽出すると共に、例えば、穿孔の横列等に沿ってワイプを引き裂いて、使用のために連続配置からワイプを取り除くことを含み得る。例えば、活性化液を通してワイプの連続配置の少なくとも１つの部分を引き出すことは、筐体によって画定された開口部を通してワイプの連続配置の端部を引き出すことを含み得る。開口部を通じて引き出す、この動作は、また、連続配置の少なくとも１つの部分から活性化液の過剰量を除去するために、ワイプの連続配置の少なくとも１つの部分を絞ることができる。
【００５６】
上記の方法及びシステムは、限定ではなく、例として示されていることが理解されよう。多数の変形、追加、省略、及び、他の修正が、当業者には明らかになるであろう。さらに、上記の説明及び図面における方法ステップの順序又は提示は、特定の順序が明示的に必要である又は他に文脈から明らかでない限り、列挙されたステップを実行する、この順序を要求することを意図していない。従って、特定の実施形態を示し、かつ、説明してきたが、本開示の精神及び範囲から逸脱することなく、形態及び細部の様々な変更及び修正がなされ得ることは、当技術分野に熟練した者には明らかであろうし、それらは、法律によって許容される最も広い意味において解釈される以下の請求項によって定義されるように、本発明の一部を形成することが意図されている。
【図１Ａ】
2021511944.tif 000003
【図１Ｂ】
2021511944.tif 000004
【図１Ｃ】
2021511944.tif 000005
【図１Ｄ】
2021511944.tif 000006
【図１Ｅ】
2021511944.tif 000007
【図２Ａ】
2021511944.tif 000008
【図２Ｂ】
2021511944.tif 000009
【図３】
2021511944.tif 000010
【図４】
2021511944.tif 000011
【図５】
2021511944.tif 000012
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
ディスペンサから第１の処理されたワイプ及び第２の処理されたワイプを分配するための方法であって、前記方法は、
筐体の内部の第１のワイプの連続配置の第１の供給源を提供するステップであって、前記第１のワイプは、連続配置で互いに連続的に係合すると共に、前記第１のワイプは、吸収性材料で形成されている、ステップと、
液体から活性化液を形成するために、前記筐体によって画定された第１の貯留容器の内部の第１の液体を活性化する、ステップと、
前記貯留容器の内部における前記活性化液を通して、前記ワイプの前記連続配置の少なくとも１つの部分を引き出す、ステップと、
第２の筐体の内部の第２の液体に、少なくとも部分的に浸された、第２のワイプの連続配置の第２の供給源を提供するステップであって、前記第２のワイプは、連続配置で互いに連続的に係合すると共に、前記第２のワイプは、吸収性材料で形成されている、ステップと、
を備える、方法。
【請求項２】
前記活性化液は、除菌液又は消毒液を備えており、前記第２の液体は、洗浄液を備えている、請求項１に記載の方法。
【請求項３】
前記第１の貯留容器において、該液体を活性化することは、前記活性化液を形成するために、電気化学的に該液体を活性化することを含む、請求項１に記載の方法。
【請求項４】
電気化学的に該液体を活性化することは、前記第１の貯留容器における該液体を通じて、電気の流れを提供することを含む、請求項３に記載の方法。
【請求項５】
前記第１の貯留容器における該液体を通じて、電気の流れを提供することは、該貯留容器における該液体を通じて、該電気の流れを脈動させることを含む、請求項４に記載の方法。
【請求項６】
前記第１の貯留容器における該液体は、少なくとも１つの塩を含む水溶液であり、該貯留容器において電気化学的に該液体を活性化することは、電気分解反応を含む、請求項３に記載の方法。
【請求項７】
該液体を活性化することは、該液体を通って引き出された前記ワイプの前記連続配置の前記少なくとも１つの部分に持ち込まれた第２の液体に該液体を暴露することを含む、請求項１に記載の方法。
【請求項８】
前記第１のワイプの前記連続配置の前記供給源は、前記第１の液体の外側の位置において支持されており、かつ、前記第１のワイプの前記連続配置の少なくとも１つの部分は、前記活性化液の外側の前記位置から前記活性化液を通じて引き出されている、請求項１に記載の方法。
【請求項９】
前記活性化液を通じて、前記第１のワイプの前記連続配置の前記少なくとも１つの部分を引き出すことは、前記第１の筐体によって画定された第１の開口部を通じて、前記第１のワイプの前記連続配置の端部を引っ張ることを含む、請求項１に記載の方法。
【請求項１０】
前記第１の開口部を通じて、前記第１のワイプの前記連続配置の前記端部を引っ張ることは、前記第１のワイプの前記連続配置の前記少なくとも１つの部分から前記活性化液の超過量を取り除くために、前記連続配置の前記少なくとも１つの部分を絞ることとされている、請求項９に記載の方法。
【請求項１１】
ディスペンサから第１の処理されたワイプ及び第２の処理されたワイプを分配するためのシステムであって、
前記システムは、
第１の筐体であって、前記第１の筐体は、
第１のチャンバと、第１の貯留容器と、第１の開口部と、
前記第１のチャンバにおける第１のワイプの連続配置の第１の供給源と、
前記第１の貯留容器における液体と、
前記第１の貯留容器の内側において、複数の離間された電極を含む電極システムであって、活性化液を形成するために、前記第１の液体を通じた電気の流れを促進するように、互いに対して配置されている、電極システムと、
前記電極システムに連結されると共に、前記活性化液を形成するように、前記複数の離間された電極の間に電気の流れを提供するように構成された制御器と、
前記チャンバの内部の前記供給源から、前記第１の貯留容器の内部の前記第１の液体を通じて、かつ、前記第１の開口部を介して前記第１の筐体の外側へ、前記ワイプの前記連続配置を案内するように配置された、１つ又は複数のガイド面と、を備えた、第１の筐体と、
第２の筐体であって、前記第２の筐体は、
第２のチャンバと、第２の貯留容器と、第２の開口部と、
前記第２のチャンバにおける第２のワイプの連続配置の第２の供給源と、
前記第２の貯留容器における第２の液体と、
を備えた、第２の筐体と、
を備える、システム。
【請求項１２】
前記第１のワイプ又は前記第２のワイプの前記連続配置の前記供給源は、前記第１のワイプ又は前記第２のワイプの１つ又は複数のロール又はスタックを含む、請求項１１に記載のシステム。
【請求項１３】
前記第１のワイプ又は前記第２のワイプの前記連続配置は、前記ワイプの連続配置の長さに沿った間隔で穿孔されている、請求項１１に記載のシステム。
【請求項１４】
１つ又は複数のセンサであって、前記第１の貯留容器において前記第１の液体又は前記活性化液と流体連結している、１つ又は複数のセンサと、前記１つ又は複数のセンサからのフィードバックに基づいて、前記複数の離間された電極の間で駆動される電源を制御するように構成された制御器と、をさらに備える、請求項１１に記載のシステム。
【請求項１５】
前記制御器は、前記複数の離間された電極の間で駆動される電源を脈動するように構成されている、請求項１４に記載のシステム。
【請求項１６】
前記複数の離間された電極は、互いに対して固定された間隔が空けられている、請求項１１に記載のシステム。
【請求項１７】
前記１つ又は複数のガイド面は、前記第１の貯留容器における前記第１の液体の下方側へ延在すると共に、前記１つ又は複数のガイド面は、前記第２の貯留容器における前記第２の液体の下方側へ延在する、請求項１１に記載のシステム。
【請求項１８】
前記１つ又は複数のガイド面は、第１のローラを含んでおり、前記第１のワイプの前記連続配置は、前記第１のローラの周りに張力をかけて巻き付けられており、前記第１のワイプの前記連続配置が、前記第１の貯留容器の内部の前記第１の液体を通って移動する際に、前記第１のローラは、回転可能とされており、
前記１つ又は複数のガイド面は、第２のローラを含んでおり、前記第２のワイプの前記連続配置は、前記第２のローラの周りに張力をかけて巻き付けられており、前記第２のワイプの前記連続配置が、前記第２の貯留容器の内部の前記第２の液体を通って移動する際に、前記第２のローラは、回転可能とされている、請求項１１に記載のシステム。
【請求項１９】
前記１つ又は複数のガイド面は、前記第１の貯留容器の外側へ移動する前記第１のワイプの前記連続配置から、前記活性化液の超過量を絞るために、前記第１のワイプの前記連続配置に対して付勢されたアームを含む、請求項１１に記載のシステム。
【請求項２０】
処理されたワイプを分配するためのシステムであって、
前記システムは、
第１のチャンバと、第１の貯留容器と、第１の開口部と、を画定する第１の筐体と、
前記第１のチャンバにおける第１のワイプの連続配置の第１の供給源と、
前記第１の貯留容器における第１の液体と、
第２のチャンバと、第２の貯留容器と、第２の開口部と、を画定する第２の筐体と、
前記第２のチャンバにおける第２のワイプの連続配置の第２の供給源と、
前記第２の貯留容器における第２の液体と、
前記第１のチャンバ又は前記第２のチャンバの内部の前記第１の供給源又は前記第２の供給源から、前記第１の貯留容器又は前記第２の貯留容器の内部の前記第１の液体又は前記第２の液体を通じて、かつ、前記第１の開口部又は前記第２の開口部を通じて延在する、前記第１のワイプ又は前記第２のワイプの前記連続配置の端部に張力を適用することによって、前記第１の開口部又は前記第２の開口部を介して前記第１の筐体又は前記第２の筐体の外側へ、前記第１のワイプ又は前記第２のワイプの前記連続配置が移動可能な、非線形経路を画定するように配置された、１つ又は複数のガイド面と、
を備える、システム。
【請求項２１】
マルチチャンバのワイプディスペンサのためのチャンバであって、
別個の上部チャンバに送られるロール状又はスタック状のワイプを受け入れる大きさとされた下部チャンバと、
前記上部チャンバに配置された溶液に、前記ワイプを浸すことを確実にするために、下方側に前記ワイプが通されるローラを備えた、上部チャンバと、
前記ワイプが分配されるチャンバの開口部と、
を備える、チャンバ。
【請求項２２】
前記ワイプは、前記上部チャンバの縁部を越えて前記上部チャンバへ送られる、請求項２１に記載のチャンバ。
【請求項２３】
前記ワイプは、前記上部チャンバの側壁部を通じて前記上部チャンバへ送られる、請求項２１に記載のチャンバ。
【請求項２４】
前記開口部は、超過した液体を取り除くために、熱可塑性エラストマと並んでいる、請求項２１に記載のチャンバ。
【請求項２５】
前記チャンバは、電気化学的活性化装置を受け入れるように適用されている、請求項２１に記載のチャンバ。
【請求項２６】
前記電気化学的活性化装置は、前記チャンバを受け入れる基部のバッテリと電気接続している、請求項２５に記載のチャンバ。
【請求項２７】
前記チャンバは、それ自体が、電気化学的活性化装置とされている、請求項２１に記載のチャンバ。
【請求項２８】
前記電気化学的活性化装置は、前記チャンバを受け入れる基部のバッテリと電気接続している、請求項２７に記載のチャンバ。
【国際調査報告】
2021511944.tif 000013
2021511944.tif 000014